(57)【特許請求の範囲】
【請求項１】
テレビジョン映像信号の水平および／または垂直方向に連続する複数画素の符号化された白キズ信号がそれぞれ記憶されている記憶手段と、テレビジョン映像信号が供給され、該供給されたテレビジョン映像信号を前記符号化の符号化手法に従ってテレビジョン映像信号の水平および／または垂直方向に符号化する符号化手段と、該符号化手段の出力と前記記憶手段から読出された連続する複数画素の符号化白キズ信号のそれぞれとを逐次符号比較する比較手段とを具えたことを特徴とするテレビジョン映像信号の白キズ検出装置。
【請求項２】
請求項１記載の白キズ検出装置において、前記符号化手法は、該符号化が前記１画素の前後における信号のレベル差、および前記１画素および／または前記複数画素の前後におけるレベル差の絶対値のレベルとスレッショルド信号のレベルとのレベル差に基づいて行なわれる手法であることを特徴とするテレビジョン映像信号の白キズ検出装置。
【請求項３】
請求項２記載の白キズ検出装置において、前記スレショルド信号のレベルは、前記供給されたテレビジョン映像信号の信号レベルに対応して変化するようにしたことを特徴とするテレビジョン映像信号の白キズ検出装置。
【請求項４】
請求項１乃至３のいずれか１項記載の白キズ検出装置において、前記供給されたテレビジョン映像信号は、該テレビジョン映像信号が前記符号化手段に供給される以前に、該符号化手段に前置された巡回フィルタによってランダムノイズが減少され、かつ動解像度が低減されていることを特徴とするテレビジョン映像信号の白キズ検出装置。
【請求項５】
請求項１乃至４のいずれか１項記載のテレビジョン映像信号の白キズ検出装置を具えるとともに、該白キズ検出装置によって検出された白キズの左右および／または上下のテレビジョン映像信号を用いて、前記白キズを直線または曲線補間する白キズ補間回路をさらに具えたことを特徴とするテレビジョン映像信号の白キズ補正装置。
【請求項６】
請求項５記載のテレビジョン映像信号の白キズ補正装置において、前記直線または曲線補間は、白キズの直前の画素の信号レベルをＰｉ、直後の画素の信号レベルをＰｋとし、その間にｎ個の連続した白画素があるとしたとき、それぞれ
Ｐｋ×α1 ＋Ｐｉ×（１−α1 ）
Ｐｋ×α2 ＋Ｐｉ×（１−α2 ）
・
・
・
Ｐｋ×αn ＋Ｐｉ×（１−αn ）
（ここに、α1 ，α2 ，・・・αn は補間係数）
によって表されるレベルによって順次の画素補間が行なわれるようにしたことを特徴とする白キズ補正装置。
【発明の詳細な説明】
【０００１】
【発明の属する技術分野】
本発明は、テレビジョン映像信号の白キズ検出装置および白キズ補正装置に関するもので、特に、通常の撮影状態のテレビジョン映像信号の中からディジタル処理により白キズを自動的に検出し、補正を行なおうとするものである。
【０００２】
【従来の技術】
ＣＣＤ撮像素子を使用したテレビジョンカメラでは、外部のなんらかの要因により、素子の１つまたは２つ以上が、正規の光電変換を行なわない場合がある。これは画面上の固定した位置に一定レベルの輝度を有する欠陥（白キズ）となって現れ、画質を著しく損なう。
【０００３】
これまでのＣＣＤテレビジョンカメラの白キズ補正は、カメラのアイリスを閉じてテレビジョン映像信号のレベルを黒レベルに落とし、一定のスレッショールドレベルを越えた信号を検出することにより白キズの検出、補正を行なっていた。
【０００４】
【発明が解決しようとする課題】
しかし、通常の撮影中に発生した白キズは、
▲１▼  白キズの発生した場所の映像レベルが変化する、
▲２▼  テレビジョン映像信号のランダムノイズの影響
などの理由のため、これをテレビジョン映像信号と分離して検出することができなかった。
従って、テレビジョン映像信号のレベルが時間的に変化する動画像の画面上や、映像信号のレベルは時間的に変化しないがある一定レベルのノイズを含む映像信号が存在する静止画の画面上の固定点の白キズの自動検出に、従来の方法では対応できなかった（従来の方法は、通常の撮影中に白キズを検出するものではないため）。
【０００５】
本発明の目的は、白キズの発生した場所の映像信号のレベルが時間的に変化している場合（動画像）、あるいは時間的には変化しないが一定の信号レベルが存在する映像信号（静止画）から、自動的に白キズの検出を行い、さらに、検出された白キズを自然なかたちに補正するテレビジョン映像信号の白キズ検出装置および白キズ補正装置を提供することにある。
これによれば、これまで困難であった白キズの自動検出を容易に行うことができ、本発明による補正のための一連の処理を自動的に行うことにより、短時間で精度の高い白キズ補正を行うことができる。
【０００６】
【課題を解決するための手段】
上記目的を達成するために、本発明テレビジョン映像信号の白キズ検出装置は、テレビジョン映像信号の水平および／または垂直方向に連続する複数画素の符号化された白キズ信号がそれぞれ記憶されている記憶手段と、テレビジョン映像信号が供給され、該供給されたテレビジョン映像信号を前記符号化の符号化手法に従ってテレビジョン映像信号の水平および／または垂直方向に符号化する符号化手段と、該符号化手段の出力と前記記憶手段から読出された連続する複数画素の符号化白キズ信号のそれぞれとを逐次符号比較する比較手段とを具えたことを特徴とするものである。
【０００７】
また、本発明テレビジョン映像信号の白キズ検出装置は、前記符号化手法が、該符号化が前記１画素の前後における信号のレベル差、および前記１画素および／または前記複数画素の前後におけるレベル差の絶対値のレベルとスレッショルド信号のレベルとのレベル差に基づいて行なわれる手法であることを特徴とするものである。
【０００８】
また、本発明テレビジョン映像信号の白キズ検出装置は、前記スレショルド信号のレベルが、前記供給されたテレビジョン映像信号の信号レベルに対応して変化するようにしたことを特徴とするものである。
【０００９】
また、本発明テレビジョン映像信号の白キズ検出装置は、前記供給されたテレビジョン映像信号が、該テレビジョン映像信号が前記符号化手段に供給される以前に、該符号化手段に前置された巡回フィルタによってランダムノイズが減少され、かつ動解像度が低減されていることを特徴とするものである。
【００１０】
また、本発明テレビジョン映像信号の白キズ補正装置は、テレビジョン映像信号の白キズ検出装置を具えるとともに、該白キズ検出装置によって検出された白キズの左右および／または上下のテレビジョン映像信号を用いて、前記白キズを直線または曲線補間する白キズ補間回路をさらに具えたことを特徴とするものである。
【００１１】
また、本発明テレビジョン映像信号の白キズ補正装置は、前記直線または曲線補間が、白キズの直前の画素の信号レベルをＰｉ、直後の画素の信号レベルをＰｋとし、その間にｎ個の連続した白画素があるとしたとき、それぞれ
Ｐｋ×α1 ＋Ｐｉ×（１−α1 ）
Ｐｋ×α2 ＋Ｐｉ×（１−α2 ）
・
・
・
Ｐｋ×αn ＋Ｐｉ×（１−αn ）
（ここに、α1 ，α2 ，・・・αn は補間係数）
によって表されるレベルによって順次の画素補間が行なわれるようにしたことを特徴とするものである。
【００１２】
【発明の実施の形態】
以下に添付図面を参照し、発明の実施の形態に基づいて本発明を詳細に説明する。
本発明テレビジョン映像信号の白キズ検出装置は、通常の撮影状態にあるテレビジョン映像信号（従来のように、テレビジョンカメラのアイリスを閉じて撮影した黒レベルの映像信号ではない）から白キズを検出し、また白キズ補正装置は、検出した白キズ部分を他の映像部分と殆ど区別がつかないように自然な形に補正するものであるが、ここで、テレビジョン映像信号と白キズとがそれぞれ有する特性について述べると次のようである。
【００１３】
まず、白キズは、ＣＣＤ撮像素子（撮像板）を構成する１個乃至複数個の素子が正規の光電変換を行わないために生ずるもので、白キズをノイズとみなしたときそのノイズレベルは一定不変である。これに対し、テレビジョン映像信号は、それ自体が常に変動している（動画像の場合）だけでなく、周辺ノイズとしてランダムノイズが重畳したものとなっている。静止画の場合もランダムノイズの重畳に関しては同じである。
【００１４】
また、白キズは１画素のみに生ずる場合が最も多いが、まれには、ＣＣＤ撮像素子の不良箇所によっては、図１（ａ）、（ｂ）および（ｃ）に示すように、それぞれラスタ上に水平方向、垂直方向および水平、垂直方向に連続する白キズとなって現れる。なお、図１においては、白キズの長さを誇張して描いてあるが、白キズの連続はせいぜい３画素程度までである。
【００１５】
これら、１画素のみ、および２画素、３画素と連続した白キズから発生するノイズパターンを時間的に変化する波形信号として示すと、それぞれ図２（ａ）、（ｂ）および（ｃ）に示すようになる。同図から分かるように、いずれも正方向に凸となる波形である。
【００１６】
本発明において、自動的に白キズを検出する場合には、ディジタル化された入力テレビジョン映像信号のサンプル点ごとのレベル関係がどうなっているかを実時間で調べ、これがメモリに予め記憶されている１乃至３画素連続する白キズのレベル関係と一致したとき、その映像信号は白キズであると判断するようにしている。
【００１７】
より具体的に説明する。
まず、図２（ａ）に示す１画素のみの白キズは、図示のように、順次の各サンプル点における信号レベルがそれぞれＳ1 ，Ｓ2 , Ｓ3 となっていて、さらにそれら各レベル間に有意のレベル差があるかどうかを判断するためのスレショールドレベルＶT を設定すると、信号が図２（ａ）のようになるためには、次の（１）式の関係にあることが必要である。
0003885112.tif 000002
【００１８】
同様に、信号が図２（ｂ）のようになるためには、次の（２）式の関係にあることが必要である。
0003885112.tif 000003
【００１９】
さらに、信号が図２（ｃ）のようになるためには、次の（３）式の関係にあることが必要である。
0003885112.tif 000004
【００２０】
従って、いま、入力テレビジョン映像信号の波形が図２（ａ）の波形（従って、１画素の白キズ）となっているかどうかを調べるには、上述の（１）式に含まれる各式において、例えば、右辺のＶT を左辺に移項した式、Ｓ2 −Ｓ1 −ＶT ＞０、Ｓ2 −Ｓ3 −ＶT ＞０、｜Ｓ1 −Ｓ3 ｜−ＶT ＜０を作り、これら移項した式をそれぞれａ1 、ａ2 、ａ3 で表すと、ａ1 ＞０、ａ2 ＞０、ａ3 ＜０であるから、これら式の符号が正の場合を“１”、負の場合を“０”で表すものとすると、（ａ1 ，ａ2 ，ａ3 ）＝（１，１，０）のように表すことができる。
【００２１】
従って、この（１，１，０）は上記約束のもとに１画素の白キズを符号化したものと見做すことができ、この（１，１，０）をメモリに参照符号として記憶しておき、一方では、入力テレビジョン映像信号に対して、ａ1 、ａ2 、ａ3 の演算を実時間で行うものとする。もし、この演算によって得られた（ａ1 , ａ2 ，ａ3 ）が（１，１，０）になれば、それをメモリに記憶されている符号（１，１，０）と比較することによって１画素の白キズであると判断する。同様にして、入力テレビジョン映像信号がその時点において２画素、３画素の白キズであるかどうかの判断も行うことができる。
【００２２】
以上の（１）乃至（３）式で規定される関係は、各サンプル点における信号の立上がり、立下がりおよび信号レベルがどうなっているかを確認するもので、これらは、いずれも１画素前後における信号のレベル差、および１画素および／または複数画素の前後におけるレベル差の絶対値のレベルとスレッショルド信号のレベルとのレベル差に基づいた関係式となっている。
【００２３】
次に、本発明による白キズ検出回路の一実施形態を図３に示し、その回路構成および回路動作につき説明する。なお、図３に示す白キズ検出回路は、白キズによる画面の水平方向のノイズパターンを検出するように構成しているが、画素単位の遅延量を１水平走査期間の遅延量に置き替えるだけで、画面の垂直方向のノイズパターンを検出するように構成することも可能である。
【００２４】
本実施形態の白キズ検出回路は、図３に示すように、４個の減算器（ＳＵＢ１〜４）と８個のシフトレジスタ（ＳＲ１〜８）で構成されているが、これら減算器およびシフトレジスタによってディジタルテレビジョン映像信号（以下では、単にテレビジョン映像信号と言う）はそれぞれ３画素および１画素遅延するものと仮定する。また、回路の入力信号は、各サンプル点ごとのテレビジョン映像信号とスレッショルド信号ＶT である。なお、テレビジョン映像信号は時間の流れの古い方から順にＳ1 , Ｓ2 ，・・・Ｓ10（Ｓ10は現サンプル点での信号）で示すものとする。
【００２５】
図 3に示すように、入力端子にテレビジョン映像信号Ｓ10（サンプル点Ｓ10での映像信号）が入力された時点において、シフトレジスタＳＲ１およびＳＲ２からそれぞれ１画素および２画素遅れた信号（それぞれＳ9 およびＳ8 ）が出力されるが、それら信号（Ｓ9 およびＳ8 ）はそれぞれ被減数および減数信号として減算器ＳＵＢ１に供給される。減算結果は減算に伴う遅延により３画素分遅れて出力することになるため、現時点では３画素分前の信号の減算結果が絶対値｜Ｓ6 −Ｓ5 ｜と符号Ｓ6 −Ｓ5 とに別れて出力されている。
【００２６】
また減算器ＳＵＢ２において、スレッショルド信号ＶT から絶対値｜Ｓ6 −Ｓ5 ｜の減算が行われるが、ここでも３画素遅延のため、減算器ＳＵＢ２の出力信号は現時点でＶT −｜Ｓ3 −Ｓ2 ｜（これを、ａ3 とする）である。この信号をシフトレジスタＳＲ３により１画素分遅延して現時点出力ＶT −｜Ｓ2 −Ｓ1 ｜（これを、ａ1 とする）が得られる。一方、減算器ＳＵＢ１の符号出力Ｓ6 −Ｓ5 は、直列接続されたシフトレジスタＳＲ４〜７に供給され、シフトレジスタＳＲ６から符号出力Ｓ3 −Ｓ2 （これを、ａ4 とする）が、シフトレジスタＳＲ７から符号出力Ｓ2 −Ｓ1 （これを、ａ2 とする）がそれぞれ得られる。
【００２７】
さらに、減算器３において、直列接続されたシフトレジスタＳＲ１，ＳＲ２の両端の信号間の減算を行い、現時点で絶対値｜Ｓ7 −Ｓ5 ｜を得、これを減算器４にてスレッショールド信号ＶT から差引き、シフトレジスタＳＲ８を通すことによりＶT −｜Ｓ3 −Ｓ1 ｜（これを、ａ5 とする）が得られる。
【００２８】
以上において、ａ1 からａ5 までの数式を整理すると、次の（４）式で表すことができ、
ａ1 ：ＶT −｜Ｓ2 −Ｓ1 ｜
ａ2 ：Ｓ2 −Ｓ1 （符号）
ａ3 ：ＶT −｜Ｓ3 −Ｓ2 ｜                (4)
ａ4 ：Ｓ3 −Ｓ2 （符号）
ａ5 ：ＶT −｜Ｓ3 −Ｓ1 ｜
【００２９】
これと、単１画素の白キズを示す図１（ａ）とを比較すると、次の（５）式を満足するとき、
ａ1 ：＜０
ａ2 ：＞０
ａ3 ：＜０                                (5)
ａ4 ：＜０
ａ5 ：＞０
テレビジョン映像信号Ｓ2 は白キズであったことが分かる。
【００３０】
これを具体的に実行するために、（５）式をａ1 〜ａ5 のそれぞれについて符号が正のとき“１”、負のとき“０”と約束して符号で表すものとすれば、この関係は次の（６）式で表すことができる。
（ａ1 ，ａ2 ，ａ3 ，ａ4 ，ａ5 ）＝（０，１，０，０，１）  (6)
すなわち、図３に示す本発明の一実施形態の白キズ検出回路において、ａ1 からａ5 までの各出力信号が（６）式の関係を満足していれば、テレビジョン映像信号Ｓ2 は白キズであるということになる。
【００３１】
従って、本発明による白キズ検出装置としては、符号列（０，１，０，０，１）を予めメモリに記憶しておき、これと図３に示す検出回路の出力（ａ1 ，ａ2 ，ａ3 ，ａ4 ，ａ5 ）の各符号列を比較照合して、入力テレビジョン映像信号が白キズであるかどうかを判定することができるように構成するものとする。
【００３２】
以上においては、図１（ａ）に示す１画素の白キズを示す白キズ検出回路の一実施形態を示したが、図１（ｂ）または（ｃ）に示す２画素以上連続した白キズを検出する白キズ検出回路も図３の構成に倣って構成することができる。
【００３３】
また、上述した白キズ検出回路の入力信号のうち、スレッショールド信号ＶT （図３参照）は、入力テレビジョン映像信号の信号レベルに対応して変化させることが望ましい。これは、通常ＣＣＤテレビジョンカメラで発生した白キズのレベルがカメラのプロセス回路を通すと映像信号のレベルが高くなるのに伴って圧縮されるため、圧縮された白キズに対しても、その白キズの検出が誤動作なく行なえるようにするためである。具体的には、白キズのレベル圧縮に伴い、スレッショールド信号ＶT のレベルも小さくなるように、したがって、スレッショールド信号のレベルをｋ・ｖT で表したとき（ＶT ＝ｋ・ｖT ）、入力映像信号のレベル増大に伴ってｋの値が漸減するように、例えば、図４に示す特性にする。
【００３４】
次に白キズ検出回路に入力されるテレビジョン映像信号について考える。
白キズから発生するノイズは一定レベルであるのに対し、テレビジョン映像信号に含まれる周辺のノイズはランダムノイズが主体なので、これを巡回フィルタに通すことにより時間的なランダムノイズが軽減し、白キズ検出回路における白キズの検出がより容易になる。また、テレビジョン映像信号を、フィルタまたはフレームについて時間加算することにより動解像度が低減し、白キズの検出が一層容易になる。
【００３５】
図５に、巡回フィルタの一実施形態を示している。
図５において、まず、入力テレビジョン映像信号は加算器ＡＤＤの入力端子の一方に供給される。この加算器ＡＤＤの出力信号は１フレームのフレームメモリ１に供給されて蓄積されるが、毎フレームごとに読み出された信号は加算器ＡＤＤにより現時点の入力テレビジョン映像信号に加算され、累積されたテレビジョン映像信号となって再びフレームメモリ１に蓄積される。図示の実施形態では、最大２５６枚の映像信号が蓄積されるよう、フレームメモリ１を制御するメモリコントロール２、メモリコントロールに接続されたタイミング信号発生器３及び蓄積枚数設定器４が配置されている。
【００３６】
また、ビットシフタ５は、フレームメモリ１において映像信号を累積しているため、フレームメモリ１の読出し信号のレベル（振幅）が大きくなっているのをビットシフトにより１枚の映像信号のレベルに戻すためのものである。このビットシフタ５のシフト量は、また蓄積枚数設定器４によって制御される。ビットシフタ５の出力映像信号は、例えば、図３に示した白キズ検出回路の入力端子に供給される。
【００３７】
また、図５に示すように、蓄積枚数を２n （ｎ＝１，２，３，・・・８）とすることにより、出力映像信号のビットシフトのみで入力信号レベルと同じレベルの出力映像信号レベルが得られ、特別な除算回路が不要となるため、回路規模を小さくすることができる。蓄積枚数を２５６枚とした場合、ランダムノイズを２４ｄＢ改善することができ、通常のハイビジョンカメラの映像信号（ペデスタル部分）のＳ／Ｎ約４０ｄＢを６０ｄＢ〜６４ｄＢ程度まで改善し、白キズの検出がより容易になる。また、この巡回フィルタによれば、動きのある入力テレビジョン映像信号の場合、動解像度も低減するので、白キズの検出が一層容易になる。
【００３８】
以上で、テレビジョン映像信号の白キズ検出回路の説明を終わるが、全体の装置としては、画面の水平、垂直方向に１画素乃至１画素以上連続した白キズ（図１参照）を検出するためにそれぞれの方向での白キズ検出回路を独立して設ける必要がある。
【００３９】
また、以上のようにして検出された白キズを補正する（ここで補正とは、映像信号の補間を行い、もともと白キズがなかったような自然の映像に近づけることを言う）ためには、白キズが検出された場所のテレビジョン画面上での位置（アドレス）を知る必要があるが、これは例えば、テレビジョン信号の垂直、水平同期信号をカウントし、検出した場所で出力にパルス信号を出すことによって知ることができる。
【００４０】
次に、本発明テレビジョン映像信号の白キズ補正装置について説明する。
ここでも、以下に説明する一実施形態では、画面水平方向の白キズを画素補間（以下、単に補間と言う）する場合、すなわち左右のテレビジョン映像信号を用いて補間するものとする。
【００４１】
図６は、連続する画素点Ｐ3 ，Ｐ4 ，Ｐ5 ，Ｐ6 ，Ｐ7 のうちＰ4 ，Ｐ5 ，Ｐ6 が連続する白画素（３画素にわたる白画素）である場合、これら画素点を画素点Ｐ3 ，Ｐ7 の重み付けした値で補間する場合の補間係数α4 ，α5 ，α6 を示している。ここで、図６（ａ）は直線補間で、図６（ｂ）は曲線補間の場合であり、白キズＰ4 ，Ｐ5 ，Ｐ6 の補間された値（信号レベル）は、それぞれ次の（７）式によって表される。
Ｐ7 ×α4 ＋Ｐ3 ×（１−α4 ）
Ｐ7 ×α5 ＋Ｐ3 ×（１−α5 ）                  (7)
Ｐ7 ×α6 ＋Ｐ3 ×（１−α6 ）
【００４２】
従って、直線補間で白キズＰ4 ，Ｐ5 ，Ｐ6 を補間する場合には、この（７）式のα4 ，α5 ，α6 に図６（ａ）の０．２５，０．５，０．７５をそれぞれ代入し、また曲線補間で白キズＰ4 ，Ｐ5 ，Ｐ6 を補間する場合には、図６（ｂ）の０．１２５，０．５，０．８７５をそれぞれ代入することによって補間された映像のレベルが得られる。なお、曲線補間の場合の曲線の形状はこれに限らず、無数にある。従って曲線補間の補間係数α4 ，α5 ，α6 はそれぞれ０．１２５，０．５，０．８７５に限るものではない。
【００４３】
また、図７は、実際に、上述した白キズの補間を行なう白キズ補間回路の一実施形態を示している。
図７において、入力テレビジョン映像信号はシフトレジスタＳＲ１，ＳＲ２，・・・，ＳＲ４により１画素ずつ遅延され、シフトレジスタＳＲ４からＰ4 の時点の白キズ信号を出力しているものとする。この時点で、入力テレビジョン映像信号が順次供給されるラッチＬＡＴＣＨ−１および２は、それぞれタイミング信号Ｔ1 およびＴ2 によって出力信号Ｐ3 およびＰ7 をホールドし続けているものとする。
【００４４】
また、乗算器ＭＵＬＴ−１および２のこれらホールドされている信号が供給されていない側の入力端子には、図示のようにそれぞれ１−α4 ，１−α5 ，１−α6 およびα4 ，α5 ，α6 が供給され、タイミングに合わせてそれぞれ乗算結果を出力する。それぞれ乗算器ＭＵＬＴ−１および２による両乗算結果は加算器ＡＤＤに供給されて加算される。上述したようなシフトレジスタＳＲ４から白キズが出力されているＰ4 の時点では、その時点の補間信号Ｐ3 ×（１−α4 ）＋Ｐ7 ×α4 が出力されている（直線補間、曲線補間は係数αの値が異なるだけで、（７）式で示される演算式は同じである。従って、図７に示す補間回路の構成も補間の仕方で代わることはない）。このとき、タイミング信号Ｔ3 によって切り換えスイッチＳＷを制御して切り換え接点をｂ側に倒し、補間信号が出力されるようにする。なお、タイミング信号Ｔ1 ，Ｔ2 ，Ｔ3 は、白キズの位置（アドレス）を示すアドレス信号から得られる。
【００４５】
最後に、以上説明したテレビジョン映像信号の白キズ検出装置および白キズ補正装置を一体に構成した一実施形態を図８に示し、これにつき説明する。
本発明装置の適用対象となるテレビジョン映像信号は、ビットレート１．４８５Ｇｂｐｓのディジタルシリアル信号の形態のハイビジョン信号である。図８において、入力テレビジョン映像信号と書かれている入力信号は、上記のハイビジョン信号がシリアル−パラレル変換され、１０ビットのパラレル信号になっているものとする。このパラレル信号は、図５に示した巡回フィルタ６と図７に示した白キズ補間回路７に供給される。前者は、ランダムノイズを軽減し、動画像の動き解像度を低減して、次段の水平および垂直各方向の白キズ検出回路８および９（図３参照）における白キズの検出を容易にするためのものである。また、後者の白キズ補間回路７では、白キズの箇所の周辺の映像レベルから直線補間または曲線補間してより自然なテレビジョン映像出力を得るようにしている。
【００４６】
またスレッショールド信号は、これが水平および垂直方向の白キズ検出回路８，９に供給されるに先立ち、スレッショールド信号レベル制御回路１０に供給され、ここで図４に示すようなレベル制御が行なわれる。具体的には、上述したように、スレッショールド信号のレベルをｋ・ｖT で表したとき（ＶT ＝ｋ・ｖT）、入力映像信号（図８においては、巡回フィルタ６の出力信号）のレベル増大に伴ってｋの値が漸減するようにしたものである。また、白キズ検出回路８，９は、水平、垂直の各方向に独立してそれぞれ設ける必要があることは上述した。
【００４７】
さらに、それらいずれかの検出回路８，９で白キズが検出されたときは、その検出されたことがそれらの出力側に配置されるＯＲゲートを介してアドレス信号生成回路１１に伝達される。アドレス信号生成回路１１においては、例えば、テレビジョン信号の垂直、水平同期信号をもとに、白キズが検出された場所のアドレスを示すアドレス信号を生成し、これを白キズ補間回路７に供給する。補間回路７においては、直線補間または曲線補間を適用して白キズを補間されたレベルの画素に置き換えるが、これについては上述したとおりである。
【００４８】
【発明の効果】
本発明によれば、白キズの発生した箇所の映像レベルが時間的に変化している（動画）場合、或いは時間的には変化しないが一定の映像レベルが存在する映像信号（静止画）から、自動的に白キズの位置検出を行うことができる。また、本発明によれば、これまで困難であった白キズの位置検出を容易に行うことができ、白キズの検出と補間という一連の処理を自動的に行うことにより、短時間で精度の高い白キズ補正を行うことができる。
【００４９】
さらに、本発明によれば、入力テレビジョン映像信号を直接に白キズ検出回路に供給するのでなく、いったん巡回フィルタにおいてテレビジョン映像信号に含まれる時間的なランダムノイズを軽減させるとともに、動解像度を低下させて白キズのみを目立たせるようにした結果、白キズ検出回路における白キズ検出動作をより容易にした。
【００５０】
さらにまた、白キズ検出回路に供給されるスレッショールド信号のレベルをテレビジョン映像信号のレベルの増大に対応させて減少させたことは、本発明白キズ検出装置の動作を一層確実にした。
【００５１】
以上においては、ＣＣＤカメラで発生した白キズの検出および補正について説明したが、高感度ＨＡＲＰ(High-gain Avalanche Rushing amorphous Photoconductor)方式撮像管を使用したカメラでも同様の白キズが発生する。この場合に発生した白キズは、ＣＣＤカメラの白キズよりも面積において大きく、また、白キズによるノイズレベルも高くなる。本発明は、このような白キズに対しても有効に作用する。
【図面の簡単な説明】
【図１】  白キズのラスタ上における見え方を示している。
【図２】  白キズから発生するノイズパターンを時間的に変化する波形信号として示している。
【図３】  本発明白キズ検出装置中、とくに白キズ検出回路の一実施形態を示している。
【図４】  図３に示す白キズ検出回路に供給されるスレッショールド信号レベルの入力映像信号レベルに対する特性を示している。
【図５】  本発明白キズ検出装置中、とくに巡回フィルタの一実施形態を示している。
【図６】  本発明白キズ補正装置で使用する直線補間および曲線補間の各補間係数を示している。
【図７】  本発明白キズ補正装置の白キズ補間回路の一実施形態を示している。
【図８】  本発明白キズ検出装置と白キズ補正装置とを一体に構成した一実施形態を示している。
【符号の説明】
１  フレームメモリ
２  メモリコントロール
３  タイミング信号発生器
４  蓄積枚数設定器
５  ビットシフタ
６  巡回フィルタ
７  白キズ補間回路
８  水平方向白キズ検出回路
９  垂直方向白キズ検出回路
１０  スレッショールド信号レベル制御回路
１１  アドレス信号生成回路
ＳＵＢ  減算器
ＡＤＤ  加算器
ＭＵＬＴ  乗算器
ＳＲ  シフトレジスタ
ＬＡＴＣＨ  ラッチ
【図１】
0003885112.tif 000005
【図２】
0003885112.tif 000006
【図３】
0003885112.tif 000007
【図４】
0003885112.tif 000008
【図５】
0003885112.tif 000009
【図６】
0003885112.tif 000010
【図７】
0003885112.tif 000011
【図８】
0003885112.tif 000012